【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
オキシヘモグロビンとデオキシヘモグロビンの吸収係数が等しいあるいは実質的に等しい７００ｎｍ以上の第１の波長の光が被検体に照射されることにより発生する音響波に基づいて得られた第１の再構成画像データを用いて、血管位置を特定する第１の手段と、
複数の波長の光が前記被検体に照射されることにより発生する音響波に基づいて得られた被検体特性分布情報を表示手段に表示させる第２の手段と、
を有し、
前記第２の手段は、前記血管位置に対応する前記被検体特性分布情報を選択的に前記表示手段に表示させる
ことを特徴とする情報処理装置。
【請求項２】
７７８ｎｍから９５０ｎｍの間の第１の波長の光が被検体に照射されることにより発生する音響波に基づいて得られた第１の再構成画像データを用いて、血管位置を特定する第１の手段と、
複数の波長の光が前記被検体に照射されることにより発生する音響波に基づいて得られた被検体特性分布情報を表示手段に表示させる第２の手段と、
を有し、
前記第２の手段は、前記血管位置に対応する前記被検体特性分布情報を選択的に前記表示手段に表示させる
ことを特徴とする情報処理装置。
【請求項３】
前記被検体特性分布情報は酸素飽和度分布情報である
請求項１または２に記載の情報処理装置。
【請求項４】
前記被検体特性分布情報はグルコース分布情報またはコラーゲン分布情報である
請求項１または２に記載の情報処理装置。
【請求項５】
前記複数の波長は、オキシヘモグロビンとデオキシヘモグロビンの吸収係数が異なる波長を含む
請求項１から４のいずれか１項に記載の情報処理装置。
【請求項６】
前記第１の再構成画像データとして、前記第１の波長の光に対応する吸収係数分布情報を取得する第３の手段を更に有する
請求項１から５のいずれか１項に記載の情報処理装置。
【請求項７】
前記複数の波長は、第１の波長と、前記第１の波長とは異なる第２の波長とを含み、
前記第１の再構成画像データと、前記第２の波長の光とが前記被検体に照射されることにより発生する音響波に基づいて得られた第２の再構成画像データとに基づいて、前記被検体特性分布情報を取得する第３の手段を更に有する
請求項１から５のいずれか１項に記載の情報処理装置。
【請求項８】
前記第３の手段は、
前記第１の再構成画像データとして前記第１の波長の光に対応する第１の吸収係数分布情報を取得し、
前記第１の再構成画像データとして前記第２の波長の光に対応する第２の吸収係数分布情報を取得し、
前記第１の吸収係数分布情報および第２の吸収係数分布情報に基づいて、前記被検体特性分布情報を取得する
請求項７に記載の情報処理装置。
【請求項９】
前記第３の手段は、前記第１の再構成画像データおよび前記第２の再構成画像データの少なくとも一方の分解能を低減させた後に前記被検体特性分布情報を取得する
請求項７または８に記載の情報処理装置。
【請求項１０】
前記第１の手段は、分解能を低減させる前の前記第１の再構成画像データを用いて、前記血管位置を特定する
請求項９に記載の情報処理装置。
【請求項１１】
前記第２の手段は、音響波を受信する受信手段から25mm以上離れた位置の前記被検体特性分布情報を前記表示手段に表示させる
請求項１から１０のいずれか１項に記載の情報処理装置。
【請求項１２】
前記第１の手段は、前記第１の再構成画像データの値が所定の範囲内である位置を前記血管位置として特定する
請求項１から１１のいずれか１項に記載の情報処理装置。
【請求項１３】
前記複数の波長はいずれも700nm以上の波長である
請求項１から１２のいずれか１項に記載の情報処理装置。
【請求項１４】
前記複数の波長の光は前記第１の波長の光を含む
請求項１から１３のいずれか１項に記載の情報処理装置。
【請求項１５】
前記第２の手段は、前記複数の波長のうち、少なくとも２つの波長の光が前記被検体に照射されることにより発生する音響波に基づいて得られた、前記血管位置に対応する前記被検体特性分布情報を選択的に前記表示手段に表示させる
請求項１から１４のいずれか１項に記載の情報処理装置。
【請求項１６】
オキシヘモグロビンとデオキシヘモグロビンの吸収係数が等しいあるいは実質的に等しい７００ｎｍ以上の第１の波長の光が被検体に照射されることにより発生する音響波に基づいて得られた第１の再構成画像データを用いて、血管位置を特定する特定ステップと、
複数の波長の光が前記被検体に照射されることにより発生する音響波に基づいて得られた、前記血管位置に対応する被検体特性分布情報を選択的に表示手段に表示させる表示ステップと、
を有する方法。
【請求項１７】
７７８ｎｍから９５０ｎｍの間の第１の波長の光が被検体に照射されることにより発生する音響波に基づいて得られた第１の再構成画像データを用いて、血管位置を特定する特定ステップと、
複数の波長の光が前記被検体に照射されることにより発生する音響波に基づいて得られた、前記血管位置に対応する被検体特性分布情報を選択的に表示手段に表示させる表示ステップと、
を有する方法。
【請求項１８】
請求項１６または１７に記載の方法を情報処理装置に実行させるプログラム。
【手続補正２】
【補正対象書類名】明細書
【補正対象項目名】００１２
【補正方法】変更
【補正の内容】
【００１２】
本発明は以下の構成を採用する。すなわち、
オキシヘモグロビンとデオキシヘモグロビンの吸収係数が等しいあるいは実質的に等しい７００ｎｍ以上の第１の波長の光が被検体に照射されることにより発生する音響波に基づいて得られた第１の再構成画像データを用いて、血管位置を特定する第１の手段と、
複数の波長の光が前記被検体に照射されることにより発生する音響波に基づいて得られた被検体特性分布情報を表示手段に表示させる第２の手段と、
を有し、
前記第２の手段は、前記血管位置に対応する前記被検体特性分布情報を選択的に前記表示手段に表示させる
ことを特徴とする情報処理装置である。
本発明はまた以下の構成を採用する。すなわち、
７７８ｎｍから９５０ｎｍの間の第１の波長の光が被検体に照射されることにより発生する音響波に基づいて得られた第１の再構成画像データを用いて、血管位置を特定する第１の手段と、
複数の波長の光が前記被検体に照射されることにより発生する音響波に基づいて得られた被検体特性分布情報を表示手段に表示させる第２の手段と、
を有し、
前記第２の手段は、前記血管位置に対応する前記被検体特性分布情報を選択的に前記表示手段に表示させる
ことを特徴とする情報処理装置である。
【手続補正３】
【補正対象書類名】明細書
【補正対象項目名】００１３
【補正方法】変更
【補正の内容】
【００１３】
本発明はまた、以下の構成を採用する。すなわち、
オキシヘモグロビンとデオキシヘモグロビンの吸収係数が等しいあるいは実質的に等し
い７００ｎｍ以上の第１の波長の光が被検体に照射されることにより発生する音響波に基づいて得られた第１の再構成画像データを用いて、血管位置を特定する特定ステップと、
複数の波長の光が前記被検体に照射されることにより発生する音響波に基づいて得られた、前記血管位置に対応する被検体特性分布情報を選択的に表示手段に表示させる表示ステップと、
を有する方法である。
本発明はまた以下の構成を採用する。すなわち、
７７８ｎｍから９５０ｎｍの間の第１の波長の光が被検体に照射されることにより発生する音響波に基づいて得られた第１の再構成画像データを用いて、血管位置を特定する特定ステップと、
複数の波長の光が前記被検体に照射されることにより発生する音響波に基づいて得られた、前記血管位置に対応する被検体特性分布情報を選択的に表示手段に表示させる表示ステップと、
を有する方法である。